(57)【特許請求の範囲】
【請求項１】
ＩＣを装着した基板を収納して略密閉する制御基板ボックスにおいて、
同ＩＣを検査するためのプローブ挿入口と、
同プローブ挿入口を横切りつつ上記ＩＣを同プローブ挿入口側から押さえつける障害物とを具備することを特徴とする制御基板ボックス。
【発明の詳細な説明】
【０００１】
【発明の属する技術分野】
本発明は、制御基板ボックスに関し、特に、装着後にも検査を要するＩＣを収容する制御基板ボックスに関する。
【０００２】
【従来の技術】
パチンコ機などの遊技機においては、制御プログラムを記録したＲＯＭなどのＩＣを制御基板上に実装するとともに、この制御基板を略密閉可能な制御基板ボックスに収容している。また、この制御基板ボックスは、ＲＯＭを交換するなどの不正を防止するために封印されている。
【０００３】
ＲＯＭを制御基板上に装着するにはソケットを介して装着する場合と直付けして装着する場合とがあり、特に直付けの場合には不正にＲＯＭを交換していないか検査する際にプローブを装着する必要がある。従来、この種の制御基板ボックスでは、このようなプローブを装着する際には制御基板ボックスを開いて行っていた。
【０００４】
【発明が解決しようとする課題】
上述した従来の制御基板ボックスにおいては、プローブを装着する際には必ず制御基板ボックスを開かなければならず、手間であった。また、遊技機などにおいては封印紙が貼付されているため、制御基板ボックスを開くということは、一度、この封印紙を破らなければならないことを意味し、厳格な管理の元に封印紙を貼られている遊技機の場合には封印紙を貼付し直すことが大変面倒であり、多数の遊技機を検査することは実質的に不可能となりかねなかった。
【０００５】
本発明は、上記課題にかんがみてなされたもので、容易にＲＯＭなどのＩＣを検査することが可能な制御基板ボックスの提供を目的とする。
【０００６】
【課題を解決するための手段】
上記目的を達成するため、請求項１にかかる発明は、ＩＣを装着した基板を収納して略密閉する制御基板ボックスにおいて、同ＩＣを検査するためのプローブ挿入口と、同プローブ挿入口を横切りつつ上記ＩＣを同プローブ挿入口側から押さえつける障害物とを具備する構成としてある。制御基板ボックスはＩＣを装着した基板を略密閉して収納するものの、ＩＣ検査用のプローブを挿入するためのプローブ挿入口を形成してあるため、制御基板ボックスを開かないままで当該プローブ挿入口よりプローブを挿入してＩＣに装着して検査する。
【０００７】
制御基板ボックスは遊技機の制御基板に限定される必要はなく、装着後にも検査を要するＩＣを収容するものであればよい。ここにＩＣとは遊技機の制御プログラムを記録したＲＯＭの他、通常の各種のＩＣでも適用可能であり、このようなＩＣの場合は同ＩＣが正常に稼働しているか否かを調べる場合に好適である。むろん、ＩＣといってもいわゆる検査対象となるものであればよいので、他の電子素子も対象とすることができる。むろん、ＩＣは直付けでなく、ソケットを介して装着されているものであっても構わない。また、制御基板ボックスの形状、素材、略密閉の程度は特に限定される必要はなく、各種の形状、素材において適用可能である。
【０００８】
プローブ挿入口は、基本的に、外部からプローブをＩＣに対して装着できるように制御基板ボックスの壁面等に形成されていればよい。その一例として、所定のＩＣを露出させるように開口を形成しておくことができる。このようにしておけば、検査対象がよく分かるし、必要に応じてどの足に対してもプローブを装着可能となる。ただし、遊技機の場合には、ＲＯＭを露出させることによって交換できてしまっては不正を防止できない。従って、開口部分にＲＯＭが取り外せないような障害物を形成しておくとより好適である。このような考え方から、ＩＣの足部分だけを露出させるような長穴を形成しておいても良い。通常、ＩＣの足の並びは平行に二列となっているため、長穴も二列に形成しておけば外部からでもプローブ挿入口を判断しやすい。
【０００９】
この場合、通常の放熱口では不十分であり、プローブを挿入できる形状などにしておく必要がある。従って、例えば、制御基板ボックスの壁面の一部をＩＣの側に凹ませておき、この凹み部分にプローブ挿入口を形成しておくことが好適である。また、この凹み部分を利用してあるいは別途、プローブを保持する係合突起などを形成しておいても良い。凹み部分を利用するのであれば、当該凹み部分をＩＣに対応した矩形にしておき、プローブは当該矩形の凹み部分にセット可能なように形成しておく。このようにすれば、凹み部分にプローブを差し込む操作によって同時にＩＣにプローブを装着させることが可能となる。
【００１０】
【発明の効果】
以上説明したように本発明は、制御基板ボックスにプローブ挿入口を形成したため、封印紙などを貼付された制御基板ボックスを開くことなく検査可能となり、検査を容易に行えるようにすることが可能な制御基板ボックスを提供することができる。
【００１１】
【発明の実施の形態】
以下、図面にもとづいて本発明の実施形態を説明する。図１は、本発明の一実施形態にかかる制御基板ボックスを斜視図により示している。
【００１２】
同図において、制御基板となるプリント基板１０は表面に各種の電子素子が配置され、外部機器と接続されるケーブル１１の一端も接続されている。このプリント基板１０上にはパチンコ機などの遊技機を制御するためのＣＰＵなども載置されており、このＣＰＵが実行する制御プログラムはＲＯＭ１２に書き込まれ、このＲＯＭ１２自体は当該プリント基板１０上に直付けで半田固定されている。本実施形態においては、ＲＯＭ１２を直付けしているものの例えばソケットを介して装着するようにしても構わない。この場合、ＲＯＭの不正改造が行われていないか取り外して容易にチェック可能となる。また、ＲＯＭ１２には制御プログラムの他、乱数テーブルや変換テーブルの制御データ等も記録されている。このＲＯＭ１２を書き換えることにより特殊な打ち方をして賞球を得る不正が行われることがあり、これを防止するためにＲＯＭ１２の書き換えが行われていないか検査する必要がある。すなわち、本実施形態においては、このＲＯＭ１２が検査対象となるＩＣを構成し、プリント基板１０が基板を構成している。むろん、検査対象として上記ＣＰＵであったり他のＩＣなどを適用することも可能である。
【００１３】
ケース２０は概略浅皿状の一対の樹脂製上ケース２１と樹脂製下ケース２２とから構成されており、互いに開口面を対面せしめて合体して一体の箱形ケースを形成している。本実施形態においてはこのように樹脂製としてあるが、金属製のケースで構成することもできる。ただし、樹脂製の場合は後述するプローブ使用時にケースと接触して誤動作してしまうということがない。両ケース２１，２２の長手方向の一側面には凹み２３ａ，２３ｂ部分を形成してあり、互いに隣接して内外を連通せしめる長開口２３を形成している。この長開口２３を介して上記ケーブル１１が外部に導出される。また、樹脂製下ケース２２における短手方向の一側面には開口端から切り欠き２２ａを形成してあるとともに、樹脂製上ケース２１にはこの切り欠き２２ａに対応して突出する凸部２１ａを形成してあり、互いに両ケース２１，２２を合体させたときに凸部２１ａが切り欠き２２ａに入り込んで側面を形成する。このようにして樹脂製上ケース２１の側から突き出る凸部２１ａが樹脂製下ケース２２の側に形成した切り欠き２２ａ内に入り込んで側面を形成するのは封印紙２４にてケース２０を封印するためであり、封印紙２４はその長手方向について凸部２１ａと交差するようにして貼付する。これに対し、樹脂製上ケース２１と樹脂製下ケース２２における他の合わせ部分に貼付する場合には封印紙２４における短手方向にて交差しなければならず、作業に慎重を要するようになって能率が低下してしまう。本実施形態においては、遊技機の制御基板ボックスであるために封印紙２４で封印しているが、必ずしも封印する必要はない。ただし、封印している場合には容易に樹脂製上ケース２１と樹脂製下ケース２２とを分離することができなくなり、本発明がより有効になる。
【００１４】
樹脂製上ケース２１と樹脂製下ケース２２にはいくつかのスリット状の放熱口が形成されているが、これとは別個に同樹脂製上ケース２１における上記ＲＯＭ１２との対向部分の壁面を内側、すなわちＲＯＭ１２に近づくように凹ませてある。この凹み部分２５は図２に示すように、プリント基板１０をこれらの樹脂製上ケース２１と樹脂製下ケース２２とで挟むようにして内部に収容したときに、ＲＯＭ１２に概ね接する程度の深みとなっており、形状は矩形である。そして、図３及び図４に示すように、その底面にはＲＯＭ１２における足１２ａを露出させるような二列の平行な長穴２５ａ，２５ａを形成してある。
【００１５】
この長穴２５ａは図５に示すようにプローブユニット３０を装着したときにそのプローブ３１が上記ＲＯＭ１２の足１２ａに接触するように挿入可能とするものであり、プローブ挿入口を構成している。本実施形態においては、このような凹み部分２５と長穴２５ａでプローブ挿入口を構成しているが、プローブ３１がＲＯＭ１２の足１２ａに接触するように挿入できればよく、極端な場合には図６に示すようにＲＯＭ１２が露出する開口２６とすることもできる。このような開口２６の場合、図７に示すように一本ずつ独立したプローブ３２を所定の足１２ａに装着すればよい。ただし、遊技機の場合は、このままではＲＯＭ１２を交換しやすくなってしまうため、図８〜図１０に示す障害物２７を樹脂製上ケース２１の内側であって上記開口２６を横切るように装着しておくと良い。図９及び図１０に示すように、樹脂製上ケース２１と樹脂製下ケース２２を合体せしめたときにはＲＯＭ１２を上から押さえつけるため、ＲＯＭ１２を取り外すことができなくなる。
【００１６】
図１〜図５の実施形態に戻ると、プローブユニット３０は凹み部分２５に挿入可能な矩形の箱形に形成されている。そして、その下面からはＲＯＭ１２の各足１２ａ対面して針状のプローブ３１が多数突出している。プローブユニット３０が凹み部分２５の形状に一致しているため、プローブユニット３０さえ凹み部分２５に装着できれば自然にプローブ３１と足１２ａとの位置合わせも完了するようになっている。
【００１７】
本実施形態においては、プローブユニット３０と凹み部分２５とを略同一外形として容易に位置合わせできるようにしているが、上述したような独立したプローブ３２の場合、図１１に示すように凹み部分２５の内壁に突起２５ｂを形成して所定位置に保持できるようにしても良い。むろん、かかる突起２５ｂと同様の機能をなす限り、各種の変形が可能である。なお、凹み部分２５を形成することによってケース２０内のＲＯＭ１２に長穴２５ａを近づけることができ、プローブ３２を装着しやすくなるし、突起２５ｂなどによって保持しやすくなる。一方、金属製のケースにおいては内部が透視可能となるように樹脂製のに透明板を備えることがあり、このような場合にはこの樹脂製の透明板の一部にて上述したような凹み部分２５を形成するようにしても良い。
【００１８】
次に、上記構成からなる本実施形態の動作を説明する。プリント基板１０上にＲＯＭ１２を半田付け固定し、当該プリント基板１０を樹脂製上ケース２１と樹脂製下ケース２２にて上下から挟み込み、ケーブル１１を長開口２３から引き出しつつ図示しないボルトなどでネジ止めし、封印紙２４にて側面を封印する。通常はこの状態で図示しない遊技台に装着し、使用する。一方、検査する必要が生じたときには、図１に示すようにしてプローブ３１の側からプローブユニット３０を樹脂製上ケース２１の凹み部分２５に挿入していく。十分に押し込むと、図５に示すようにプローブ３１の先端がＲＯＭ１２の足１２ａに押しつけられて接触するので、後は電気的にプログラムを読み出すなどして検査すればよい。上述した各種の変形例においても基本的には通常どおりに制御基板ボックスを組み付けて使用し、検査する場合には、図７、図９及び図１０に示すように開口２６からプローブ３２を挿入してＲＯＭ１２の足１２ａに接続すればよい。また、このときに図１１に示すようにしてプローブ３２を突起２５ｂによって保持させれば検査中にプローブ３２が外れてしまったりすることを防止できる。なお、図９及び図１０に示すように障害物２７を形成しておく場合には、不正にＲＯＭ１２を取り外してしまうこともできない。
【００１９】
このように、樹脂製上ケース２１と樹脂製下ケース２２とからなる制御基板ケース２０は、ＩＣとしてのＲＯＭ１２を装着した基板１０を収納して略密閉可能であるとともに、上記ＲＯＭ１２の取り付け位置には凹み部分２５を形成しつつ同ＲＯＭ１２の足１２ａの並びに対応してプローブ３１を挿入可能な長穴２５ａを形成してあるため、ケース２０を閉じた状態でもプローブユニット３０を凹み部分２５に装着することによってプローブ３１がＲＯＭ１２の足１２ａに接触可能であり、検査できる。
【図面の簡単な説明】
【図１】本発明の一実施形態にかかる制御基板ボックスの分解斜視図である。
【図２】同制御基板ボックスの一部切り欠き側面図である。
【図３】同制御基板ボックスの別の分解斜視図である。
【図４】同制御基板ボックスの平面図である。
【図５】同制御基板ボックスにプローブユニットを装着した状態の断面図である。
【図６】変形例にかかる制御基板ボックスの斜視図である。
【図７】同制御基板ボックスにプローブユニットを装着した状態の断面図である。
【図８】変形例にかかる制御基板ボックスの内側を示す斜視図である。
【図９】同制御基板ボックスにプローブユニットを装着した状態の断面図である。
【図１０】同制御基板ボックスにプローブユニットを装着した状態の断面図である。
【図１１】変形例にかかる制御基板ボックスの要部拡大斜視図である。
【符号の説明】
１０…プリント基板
１２…ＲＯＭ
１２ａ…足
２０…ケース
２１…樹脂製上ケース
２２…樹脂製下ケース
２４…封印紙
２５…凹み部分
２５ａ…長穴
２５ｂ…突起
２６…開口
２７…障害物
３０…プローブユニット
３１…プローブ
３２…プローブ
【図１】
0003835539.tif 000002
【図２】
0003835539.tif 000003
【図３】
0003835539.tif 000004
【図４】
0003835539.tif 000005
【図５】
0003835539.tif 000006
【図６】
0003835539.tif 000007
【図７】
0003835539.tif 000008
【図８】
0003835539.tif 000009
【図９】
0003835539.tif 000010
【図１０】
0003835539.tif 000011
【図１１】
0003835539.tif 000012